(57)【要約】【課題】外的な応力に対して、確実に部品を筐体に設置することができ、流通段階における製品の保護性能を向上させたヒートポンプ式給湯機を提供すること。【解決手段】貯湯タンク６が配設された側とは反対側の第２の基板７と遮音板８とで区画された内部に、蒸発器１０と、蒸発器１０に送風する送風ファン９と、ヒートポンプ式給湯機を構成する機器の運転制御を行う電子制御装置を収納した電装箱１１とを備え、蒸発器１０の前方に送風ファン９を設け、電装箱１１は送風ファン９を第２の基板７に固定する固定金具によって下方から支持され、遮音板８と筐体の側面を構成する側板とを特殊板１４にて連結固定するとともに、特殊板１４と電装箱１１の前面部とを連結固定する。【選択図】図１
2008164268.tif 000002
【特許請求の範囲】
【請求項１】
圧縮機、水冷媒熱交換器、減圧装置、蒸発器を環状に接続したヒートポンプサイクルと、貯湯タンク、循環ポンプ、前記水冷媒熱交換器を環状に接続した給湯サイクルとを一つの筐体に収納したヒートポンプ式給湯機において、前記筐体を左右に分割する遮音板を設け、前記遮音板にて分割された前記筐体の一方側に貯湯タンクを配設するとともに、前記筐体の底部を構成する第１の基板上に前記圧縮機、前記循環ポンプ、前記水冷媒熱交換器を配設し、前記第１の基板の上方に第２の基板を設けるとともに、前記貯湯タンクが配設された側とは反対側の前記第２の基板と前記遮音板とで区画された内部に、前記蒸発器と、前記蒸発器に送風する送風ファンと、前記ヒートポンプ式給湯機を構成する機器の運転制御を行う電子制御装置を収納した電装箱とを備え、前記蒸発器の前方に前記送風ファンを設け、前記電装箱は前記送風ファンを前記第２の基板に固定する固定金具によって下方から支持され、前記遮音板と前記筐体の側面を構成する側板とを特殊板にて連結固定するとともに、前記特殊板と前記電装箱の前面部とを連結固定したことを特徴とするヒートポンプ式給湯機。
【請求項２】
特殊板の端部に一対の折り曲げ面を設け、前記一対の折り曲げ面で、電装箱の天面と底面とを挟み込む構成としたことを特徴とする請求項１に記載のヒートポンプ式給湯機。
【請求項３】
電装箱と連結固定する特殊板の面にビード形状を設けたことを特徴とする請求項１または２に記載のヒートポンプ式給湯機。
【発明の詳細な説明】
【技術分野】
【０００１】
本発明は、ヒートポンプ式給湯機に係り、特に一体的に筐体が構成されるヒートポンプ式給湯機の構成に関するものである。
【背景技術】
【０００２】
従来、ヒートポンプユニットと貯湯タンクユニットが分離した分離型のヒートポンプ式給湯機が開発されている。そして分離型のヒートポンプ式給湯機と同時に、設置スペースの狭小化を目的とし冷凍サイクルと給湯サイクルとを一つの筐体内に一体的に収納した一体型ヒートポンプ式給湯機が開発されている（例えば、特許文献１参照）。
【０００３】
図４は、従来の冷凍サイクルと給湯サイクルとを一体的に収納した一体型ヒートポンプ式給湯機の構成図である。図４において、従来の一体型ヒートポンプ式給湯機は、筐体の外郭底部を形成する第１の基板１０１の上に、圧縮機１０２、水冷媒熱交換器１０６、循環ポンプ１０４が配設され、筐体を左右に分割するように遮音板１０８が設けられている。そして遮音板１０８によって分割された一方側に貯湯タンク１０３を配設し、第１の基板１０１の上方に設けられた第２の基板１０７と、前記遮音板１０８とで区画され、前記貯湯タンク１０３が配設されている側と反対の側に蒸発器１１０と送風ファン１０９とが配設され、送風ファン１０９を第２の基板１０７に固定する固定金具によって、電装箱１１１が下方から支持されている。
【特許文献１】特開２００５−１７２３８４号公報
【発明の開示】
【発明が解決しようとする課題】
【０００４】
しかしながら、上記従来の構成では、筐体の最上部に位置する電装箱１１１は、ヒートポンプ式給湯機の流通段階に発生する振動、もしくは外部からの衝撃など外的な応力が加わると、筐体の底部に搭載した構成部品に比べて、変位量が大きくなる。
【０００５】
また、電装箱１１１は送風ファンを固定する固定金具によってのみ固定された状態なので、筐体の前後／左右から加わる外的な応力に対して電装箱の変位を確実に抑制することができず、電装箱の瞬間的な変位によって、電装箱と蒸発器とが接触してしまい、蒸発器の熱交換用フィンが潰れ加熱性能が低下するという課題を有していた。
【０００６】
本発明は、前記従来の課題を解決するもので、外的な応力に対して、確実に部品を筐体に設置することができ、流通段階における製品の保護性能を向上させたヒートポンプ式給湯機を提供することを目的とする。
【課題を解決するための手段】
【０００７】
前記従来の課題を解決するために、本発明のヒートポンプ式給湯機は、圧縮機、水冷媒熱交換器、減圧装置、蒸発器を環状に接続したヒートポンプサイクルと、貯湯タンク、循環ポンプ、前記水冷媒熱交換器を環状に接続した給湯サイクルとを一つの筐体に収納したヒートポンプ式給湯機において、前記筐体を左右に分割する遮音板を設け、前記遮音板にて分割された前記筐体の一方側に貯湯タンクを配設するとともに、前記筐体の底部を構成する第１の基板上に前記圧縮機、前記循環ポンプ、前記水冷媒熱交換器を配設し、前記第１の基板の上方に第２の基板を設けるとともに、前記貯湯タンクが配設された側とは反対側の前記第２の基板と前記遮音板とで区画された内部に、前記蒸発器と、前記蒸発器に送風する送風ファンと、前記ヒートポンプ式給湯機を構成する機器の運転制御を行う電子制御装置を収納した電装箱とを備え、前記蒸発器の前方に前記送風ファンを設け、前記電装
箱は前記送風ファンを前記第２の基板に固定する固定金具によって下方から支持され、前記遮音板と前記筐体の側面を構成する側板とを特殊板にて連結固定するとともに、前記特殊板と前記電装箱の前面部とを連結固定したことにより、確実に電装箱を筐体に固定することができる。
【発明の効果】
【０００８】
本発明は、外的な応力に対して、確実に部品を筐体に設置することができ、流通段階における製品の保護性能を向上させたヒートポンプ式給湯機を提供することができる。
【発明を実施するための最良の形態】
【０００９】
第１の発明のヒートポンプ式給湯機は、圧縮機、水冷媒熱交換器、減圧装置、蒸発器を環状に接続したヒートポンプサイクルと、貯湯タンク、循環ポンプ、前記水冷媒熱交換器を環状に接続した給湯サイクルとを一つの筐体に収納したヒートポンプ式給湯機において、前記筐体を左右に分割する遮音板を設け、前記遮音板にて分割された前記筐体の一方側に貯湯タンクを配設するとともに、前記筐体の底部を構成する第１の基板上に前記圧縮機、前記循環ポンプ、前記水冷媒熱交換器を配設し、前記第１の基板の上方に第２の基板を設けるとともに、前記貯湯タンクが配設された側とは反対側の前記第２の基板と前記遮音板とで区画された内部に、前記蒸発器と、前記蒸発器に送風する送風ファンと、前記ヒートポンプ式給湯機を構成する機器の運転制御を行う電子制御装置を収納した電装箱とを備え、前記蒸発器の前方に前記送風ファンを設け、前記電装箱は前記送風ファンを前記第２の基板に固定する固定金具によって下方から支持され、前記遮音板と前記筐体の側面を構成する側板とを特殊板にて連結固定するとともに、前記特殊板と前記電装箱の前面部とを連結固定したことにより、流通段階に加わる前後／左右からの外的応力に対して電装箱の変位を抑制することができ、確実に電装箱を筐体に固定することができる。
【００１０】
さらに、電装箱は特殊板を介して筐体の側板に連結固定された構成となっているので、外的な応力が加わった場合には、筐体の側板の変位と同期した方向へ移動するため、電装箱と筐体との間にあるクリアランスを一定距離に確保することが可能となり、蒸発器の損傷による加熱性能の低下や、筐体への損傷を防止することができる。
【００１１】
第２の発明のヒートポンプ式給湯機は、特に第１の発明において、特殊板の端部に一対の折り曲げ面を設け、前記一対の折り曲げ面で、電装箱の天面と底面とを挟み込む構成としたことにより、電装箱の天面と底面とを確実に一対の折り曲げ面で挟み込んで固定することができるので、上下方向の変位を抑制することで、より確実に電装箱を筐体に固定することができる。
【００１２】
第３の発明のヒートポンプ式給湯機は、特に第１または第２の発明において、電装箱と連結固定する特殊板の面にビード形状を設けたことにより、特殊板の剛性を高め、より強い外的応力に対し製品を保護することができる。
【００１３】
以下、本発明の実施の形態について、図面を参照しながら説明する。なお、この実施の形態によって本発明が限定されるものではない。
【００１４】
（実施の形態１）
図１は本実施の形態におけるヒートポンプ式給湯機の構成図、図２は本実施の形態におけるヒートポンプ式給湯機の左右正面図である。
【００１５】
図１に示すように、本実施の形態１におけるヒートポンプ式給湯機は、圧縮機２と水冷媒熱交換器５と下夏装置（図示せず）と蒸発器１０とを順に冷媒配管で接続したヒートポンプサイクルと、貯湯タンク６と循環ポンプ３と水冷媒熱交換器５とを順に給湯配管で接
続した給湯サイクルとが一体的に筐体に収納された構成となっている。
【００１６】
また、筐体を左右に分割するように遮音板８が設けられており、遮音板８で分割された筐体の一方側には貯湯タンク６を配設している。また筐体の底部を構成する第１の基板１上には、圧縮機２、循環ポンプ３、水冷媒熱交換器５が配設されており、水冷媒熱交換器５は、断熱性能を高めるために発泡断熱容器４に覆われた構成となっている。
【００１７】
そして、第１の基板１の上方部で、かつ、貯湯タンク６が配設された側とは反対の側には、第２の基板７が設けられており、第２の基板７と遮音板８とで区画された空間には、蒸発器１０と、蒸発器１０に空気を送る送風ファン９と、ヒートポンプ式給湯機を構成する部品の運転制御を行う電子制御装置を収納した電装箱１１が設けられている。
【００１８】
第２の基板７には蒸発器１０と、固定金具１２を介して送風ファン９が備え付けられており、蒸発器１０の前方部に送風ファン９が配設されている。
【００１９】
このように、一つの筐体内に蒸発器１０と貯湯タンク２とを遮音板８で左右に分割された別々の空間に配設することで、設置スペースの狭小化を図ることができ、例えば大能力化に対応する場合にも、蒸発器１０と貯湯タンク２とをそれぞれ情報に伸ばすだけで能力を上げることができるので、大能力化に際しても設置スペースを向上させることなく対応することができる。
【００２０】
また、電装箱１１は、固定金具１２によって下方より支持された構成となっている。
【００２１】
また、図２に示すように、本実施の形態１におけるヒートポンプ式給湯機の筐体は、筐体の右側面を構成する右側板１７、左側面を構成する左側板１３、正面の左部を構成する左前板１５、正面の右部を構成する右前板１６、後側面を構成する後板１８、天面を構成する天板１９で構成されている。正面を左前板１５と右前板１６のように分割して構成することで、メンテナンス時には、メンテナンス箇所に応じた前板を取り外すだけでメンテナンスや修理などを行うことができるので、前板すべてを外す必要がないメンテナンス性を考慮した構成としている。
【００２２】
このように構成されたヒートポンプ式給湯機において、さらに特殊板によって電装箱１１を筐体に固定し、確実に蒸発器１０および筐体の損傷を防ぐ構成について説明する。
【００２３】
図１、図２に示すように、本実施の形態１において、電装箱１１は、特殊板１４を介して遮音板８と左側板１３に連結固定されている。
【００２４】
図３は、本実施の形態１における特殊板１４の斜視図である。図３に示すように、特殊板１４に電装箱１１を矢印の方向から取り付ける構成とし、特殊板１４の左右両端部は、遮音板８および左側板１３に螺子などで螺着され連結固定されている。電装箱１１を連結固定する特殊板１４の面には、ビード形状２１を施しており、剛性が増した構成としている。なお、ビード形状２１は、垂直、水平どちらの方向に施してもよく、また、必要に応じて複数箇所設けてもよい。
【００２５】
また特殊板１４の上下両端部は、電装箱１１が取り付けられる方向に向かって略垂直方向に折り曲げ面２０を有しており、折り曲げ面２０によって電装箱１１の天面および底面方向から上下に挟み込む構成となっており、特殊板１４で電装箱１１を確実に保持する構成となっている。電装箱１１の天面および底面と、折り曲げ面２０の間にはクリアランスを設けても、設けなくてもどちらでもよく、クリアランスを設けない場合にはさらに確実に電装箱１１を保持する構成とすることができる。このように、折り曲げ面２０を設ける
ことで、電装箱１１の上下方向の変動を抑制することができる。
【００２６】
以上のように、本発明のヒートポンプ式給湯機に特殊板を設けることによって、ヒートポンプ式給湯機の流通段階における筐体の損傷や、蒸発器の損傷を防ぐことができ、保護性能の高いヒートポンプ式給湯機を提供することができる。
【産業上の利用可能性】
【００２７】
以上のように、本発明にかかるヒートポンプ式給湯機の構成は、ヒートポンプユニットと、給湯ユニットが一つの筐体に収納されたヒートポンプ式給湯機に適用することができる。
【図面の簡単な説明】
【００２８】
【図１】本発明の第１の実施の形態におけるヒートポンプ式給湯機の構成図
【図２】同実施の形態におけるヒートポンプ式給湯機の左右正面図
【図３】同実施の形態における特殊板の斜視図
【図４】従来の形態におけるヒートポンプ式給湯機の構成図
【符号の説明】
【００２９】
１  第１の基板
２  圧縮機
３  循環ポンプ
４  発泡断熱容器
５  水冷媒熱交換器
６  貯湯タンク
７  第２の基板
８  遮音板
９  送風ファン
１０  蒸発器
１１  電装箱
１２  固定金具
１４  特殊板
【図１】
2008164268.tif 000003
【図２】
2008164268.tif 000004
【図３】
2008164268.tif 000005
【図４】
2008164268.tif 000006